(57)【要約】【課題】自装置に記憶している複数の画像の中から選択した画像を、外部装置に送信する際に、自装置に記憶している画像において、類似した画像の中で鮮明度の低い画像が外部装置に送信されることを防止することが可能とする。【解決手段】受付部３２は、データ格納部３６に格納される複数の画像の中から、クラウドサーバ１２に送信する画像の選択を受け付ける。通知部３１は、受付部３２により、選択が受け付けられた画像に類似する画像データのうち、選択が受け付けられた画像の鮮明度よりも高い鮮明度の画像がデータ格納部３６に格納されている場合、その旨を通知する。【選択図】図３
2020170242.tif 000002
【特許請求の範囲】
【請求項１】
複数の画像を記憶する記憶手段と、
前記記憶手段に記憶された複数の画像の中から、外部装置に送信する画像の選択を受け付ける受付手段と、
前記受付手段により、選択が受け付けられた画像である第１画像に類似する画像のうち、前記第１画像の鮮明度よりも高い鮮明度の画像である第２画像が前記記憶手段に記憶されている場合、その旨を通知する通知手段と、
を備えた情報処理装置。
【請求項２】
前記第１画像の代わりに前記外部装置に送る画像の候補である候補画像として、前記第２画像を表示するよう制御する表示制御手段をさらに備えた請求項１記載の情報処理装置。
【請求項３】
前記表示制御手段は、前記候補画像を鮮明度が高い順に表示する請求項２記載の情報処理装置。
【請求項４】
前記通知手段は、画像を送信する外部装置に格納されている画像中に、前記第１画像の鮮明度よりも高い鮮明度の画像が存在する場合、その旨を通知する請求項１から３のいずれか記載の情報処理装置。
【請求項５】
前記通知手段は、画像を送信する外部装置に格納されている画像中に、前記第１画像の鮮明度よりも低い鮮明度の画像が存在する場合、その旨を通知する請求項１から３のいずれか記載の情報処理装置。
【請求項６】
外部装置に格納されており、かつ前記第１画像の鮮明度よりも低い鮮明度の画像を削除するよう指示する指示手段をさらに備えた請求項５記載の情報処理装置。
【請求項７】
前記第１の画像は複数の領域に分割されており、前記表示制御手段は、前記第１画像よりも鮮明度が高い領域に対応する、前記第２画像の領域を、他の領域とは異なる表示方法で表示する請求項２記載の情報処理装置。
【請求項８】
前記通知手段は、前記第１画像の予め定められた領域が前記第２画像の予め定められた領域よりも鮮明度が低い場合に、その旨を通知する請求項１から６のいずれか記載の情報処理装置。
【請求項９】
複数の画像を記憶装置に記憶するステップと、
前記記憶装置に記憶された複数の画像の中から、外部装置に送信する画像の選択を受け付けるステップと、
選択が受け付けられた画像である第１画像に類似する画像のうち、前記第１画像の鮮明度よりも高い鮮明度の画像である第２画像が前記記憶装置に記憶されている場合、その旨を通知するステップと、
をコンピュータに実行させるためのプログラム。
【発明の詳細な説明】
【技術分野】
【０００１】
本発明は、情報処理装置およびプログラムに関する。
【背景技術】
【０００２】
特許文献１には、プリントを行うためのプリンタ手段、画像を記憶している画像記憶媒体、画像記憶媒体より画像を読み出すための画像読出し手段、画像記憶媒体に記憶されている画像から、複数の画像を選択する画像選択手段、画像選択手段により選択された複数の画像の特徴量をそれぞれ抽出する特徴抽出手段、特徴抽出手段により特徴量を抽出した結果、この特徴量の評価を行い、最良と思われる画像を判定する画像判定手段、を備え、画像判定手段により最良と判定した画像をプリント手段に送り、プリントを行う画像処理システムが開示されている。
【０００３】
特許文献２には、画像データが表す画像における画質劣化の有無を判定する画質判定手段と、画質判定手段により画質劣化があると判定された場合に、画像を絵画調の画像に変換する画像変換手段と、を備えることを特徴とする画像処理装置が開示されている。
【０００４】
特許文献３には、撮像素子を用いたカメラにより撮影された複数の画像のデータを、その各画像に関連するデータとあわせて供給されてこれらを読み込む読込手段と、読込手段により読み込まれた各画像が、所定の基準を満たすか否かを評価する画像評価手段と、画像評価手段における評価に基づいて、複数画像から１以上の画像を選択し、印刷対象の選択画像として出力する選択決定手段とを備えたことを特徴とするプリント画像選択装置が開示されている。
【先行技術文献】
【特許文献】
【０００５】
【特許文献１】特開２００７−０８８５９４号公報
【特許文献２】特開２０１１−１３８２７２号公報
【特許文献３】特開２００２−０１０１７９号公報
【発明の概要】
【発明が解決しようとする課題】
【０００６】
自装置に記憶されている画像を外部装置に送信した後に、送信した画像と類似した画像であり、かつ送信した画像よりも鮮明度が高い画像が自装置に記憶されていたことにユーザが気付くことがある。その場合、ユーザは再度、該画像を外部装置に送信することがあり、再度画像を送信する操作は、ユーザにとって煩雑な操作であった。
【０００７】
本発明の目的は、自装置に記憶している複数の画像の中から選択した画像を、外部装置に送信する際に、自装置に記憶している画像において、類似した画像の中で鮮明度の低い画像が外部装置に送信されることを防止することが可能な情報処理装置およびプログラムを提供することである。
【課題を解決するための手段】
【０００８】
請求項１に係る本発明は、複数の画像を記憶する記憶手段と、前記記憶手段に記憶された複数の画像の中から、外部装置に送信する画像の選択を受け付ける受付手段と、前記受付手段により、選択が受け付けられた画像である第１画像に類似する画像のうち、前記第１画像の鮮明度よりも高い鮮明度の画像である第２画像が前記記憶手段に記憶されている場合、その旨を通知する通知手段と、を備えた情報処理装置である。
【０００９】
請求項２に係る本発明は、前記第１画像の代わりに前記外部装置に送る画像の候補である候補画像として、前記第２画像を表示するよう制御する表示制御手段をさらに備えた請求項１記載の情報処理装置である。
【００１０】
請求項３に係る本発明は、前記表示制御手段は、前記候補画像を鮮明度が高い順に表示する請求項２記載の情報処理装置である。
【００１１】
請求項４に係る本発明は、前記通知手段は、画像を送信する外部装置に格納されている画像中に、前記第１画像の鮮明度よりも高い鮮明度の画像が存在する場合、その旨を通知する請求項１から３のいずれか記載の情報処理装置である。
【００１２】
請求項５に係る本発明は、前記通知手段は、画像を送信する外部装置に格納されている画像中に、前記第１画像の鮮明度よりも低い鮮明度の画像が存在する場合、その旨を通知する請求項１から３のいずれか記載の情報処理装置である。
【００１３】
請求項６に係る本発明は、外部装置に格納されており、かつ前記第１画像の鮮明度よりも低い鮮明度の画像を削除するよう指示する指示手段をさらに備えた請求項５記載の情報処理装置である。
【００１４】
請求項７に係る本発明は、前記第１の画像は複数の領域に分割されており、前記表示制御手段は、前記第１画像よりも鮮明度が高い領域に対応する、前記第２画像の領域を、他の領域とは異なる表示方法で表示する請求項２記載の情報処理装置である。
【００１５】
請求項８に係る本発明は、前記通知手段は、前記第１画像の予め定められた領域が前記第２画像の予め定められた領域よりも鮮明度が低い場合に、その旨を通知する請求項１から６のいずれか記載の情報処理装置である。
【００１６】
請求項９に係る本発明は、複数の画像を記憶装置に記憶するステップと、前記記憶装置に記憶された複数の画像の中から、外部装置に送信する画像の選択を受け付けるステップと、選択が受け付けられた画像である第１画像に類似する画像のうち、前記第１画像の鮮明度よりも高い鮮明度の画像である第２画像が前記記憶装置に記憶されている場合、その旨を通知するステップと、をコンピュータに実行させるためのプログラムである。
【発明の効果】
【００１７】
請求項１に係る本発明によれば、自装置に記憶している複数の画像の中から選択した画像を、外部装置に送信する際に、自装置に記憶している画像において、類似した画像の中で鮮明度の低い画像が外部装置に送信されることを防止することが可能な情報処理装置を提供することができる。
【００１８】
請求項２に係る本発明によれば、自装置に記憶している複数の画像の中から選択した画像を、外部装置に送信する際に、選択した画像よりも鮮明度が高い画像が自装置に記憶されている場合、鮮明度が高い画像を、選択した画像の代わりに送信する画像の候補として表示することが可能な情報処理装置を提供することができる。
【００１９】
請求項３に係る本発明によれば、自装置に記憶している複数の画像の中から選択した画像を、外部装置に送信する際に、選択した画像よりも鮮明度が高い画像が自装置に記憶されている場合、選択した画像の代わりに送信する画像の候補として、鮮明度の高い順に表示することが可能な情報処理装置を提供することができる。
【００２０】
請求項４に係る本発明によれば、自装置に記憶している複数の画像の中から選択した画像を、外部装置に送信する際に、外部装置に格納されている画像において、類似した画像の中で鮮明度の低い画像が外部装置に格納されることを防止することが可能な情報処理装置を提供することができる。
【００２１】
請求項５に係る本発明によれば、自装置に記憶している複数の画像の中から選択した画像を、外部装置に送信する際に、外部装置に格納されている画像において、選択した画像に類似しており、かつ選択した画像よりも鮮明度の低い画像が外部装置に格納されていることを通知することが可能な情報処理装置を提供することができる。
【００２２】
請求項６に係る本発明によれば、自装置に記憶している複数の画像の中から選択した画像を、外部装置に送信する際に、選択された画像が外部装置に送信された後に、外部装置に格納されている画像において、選択されて送信された画像に類似しており、かつ選択されて送信された画像よりも鮮明度の低い画像が外部装置に格納されている状態を防止することが可能な情報処理装置を提供することができる。
【００２３】
請求項７に係る本発明によれば、自装置に記憶している複数の画像の中から選択した画像を、外部装置に送信する際に、自装置に記憶している画像において、類似した画像の中で鮮明度の低い領域を含む画像が外部装置に送信されることを防止することが可能な情報処理装置を提供することができる。
【００２４】
請求項８に係る本発明によれば、自装置に記憶している複数の画像の中から選択した画像を、外部装置に送信する際に、自装置に記憶している画像において、類似した画像の中で鮮明度の高い領域を、他の領域とは区別して表示することが可能な情報処理装置を提供することができる。
【００２５】
請求項９に係る本発明によれば、自装置に記憶している複数の画像の中から選択した画像を、外部装置に送信する際に、自装置に記憶している画像において、類似した画像の中で鮮明度の低い画像が外部装置に送信されることを防止することが可能なプログラムを提供することができる。
【図面の簡単な説明】
【００２６】
【図１】本発明の一実施形態の情報処理システムのシステム構成を示す図である。
【図２】本発明の一実施形態における端末装置１０のハードウェア構成を示すブロック図である。
【図３】本発明の一実施形態における端末装置１０の機能構成を示すブロック図である。
【図４】本発明の一実施形態における端末装置１０の操作画面例である。
【図５】本発明の一実施形態の端末装置１０により行われる具体的な操作説明の一例を示す表示画面例である。
【図６】本発明の一実施形態における端末装置１０の動作の一例を示すフロー図である。
【図７】本発明の一実施形態の端末装置１０により行われる具体的な操作説明の一例を示す表示画面例である。
【図８】本発明の一実施形態の端末装置１０により行われる具体的な操作説明の一例を示す表示画面例である。
【図９】本発明の一実施形態の端末装置１０により行われる具体的な操作説明の一例を示す表示画面例である。
【図１０】本発明の一実施形態における端末装置１０の動作の一例を示すフロー図である。
【図１１】本発明の一実施形態の端末装置１０により行われる具体的な操作説明の一例を示す表示画面例である。
【図１２】本発明の一実施形態の端末装置１０により行われる具体的な操作説明の一例を示す表示画面例である。
【図１３】本発明の一実施形態の端末装置１０により行われる具体的な操作説明の一例を示す表示画面例である。
【図１４】画像の鮮明度を判定する際の端末装置１０の動作を説明するための図である。
【図１５】画像の鮮明度を判定する際の端末装置１０の動作を説明するための図である。
【図１６】本発明の一実施形態の端末装置１０により行われる具体的な操作説明の一例を示す表示画面例である。
【図１７】本発明の一実施形態の端末装置１０により行われる具体的な操作説明の一例を示す表示画面例である。
【図１８】本発明の一実施形態の端末装置１０により行われる具体的な操作説明の一例を示す表示画面例である。
【図１９】本発明の一実施形態の端末装置１０により行われる具体的な操作説明の一例を説明する図である。
【発明を実施するための形態】
【００２７】
次に、本発明の実施の形態について図面を参照して詳細に説明する。
【００２８】
図１は本発明の一実施形態の情報処理システムの構成を示す図である。
【００２９】
本実施形態の情報処理システムでは、情報処理装置の一例であるスマートフォン、タブレット端末等の端末装置１０を用いて、インターネット１経由でサーバの一例であるクラウドサーバ１２に写真等の画像を送信する。
【００３０】
本実施形態の情報処理システムは、図１に示されるように、無線ＬＡＮターミナル１１と、画像等のデータを格納するクラウドサーバ１２とがインターネット１により接続されている。
【００３１】
端末装置１０は、無線ＬＡＮターミナル１１との間で無線回線により接続されることにより、クラウドサーバ１２と接続される。
【００３２】
次に、本実施形態の情報処理システムにおける端末装置１０のハードウェア構成を図２に示す。
【００３３】
端末装置１０は、図２に示されるように、ＣＰＵ２１、メモリ２２、フラッシュメモリ等の記憶装置２３、タッチパネル等のユーザインタフェース（ＵＩ）装置２４、カメラ２５、無線ＬＡＮターミナル１１との間で無線回線を介してデータの送信及び受信を行う通信インタフェース（ＩＦ）２６を有する。これらの構成要素は、制御バス２７を介して互いに接続されている。
【００３４】
ＣＰＵ２１は、メモリ２２または記憶装置２３に格納された制御プログラムに基づいて所定の処理を実行して、端末装置１０の動作を制御する。なお、本実施形態では、ＣＰＵ２１は、メモリ２２または記憶装置２３内に格納された制御プログラムを読み出して実行するものとして説明したが、当該プログラムをＳＤカード等の記憶媒体に格納してＣＰＵ２１に提供することも可能である。
【００３５】
図３は、上記の制御プログラムが実行されることにより実現される端末装置１０の機能構成を示すブロック図である。
【００３６】
本実施形態の端末装置１０は、図３に示されるように、制御部３０と、通知部３１と、受付部３２と、データ送受信部３３と、表示部３４と、撮像部３５と、データ格納部３６と、指示部３７と、判定部３８を備えている。
【００３７】
データ送受信部３３は、制御部３０による制御に基づいて、クラウドサーバ１２との間で画像等のデータの送受信を行う。
【００３８】
撮像部３５は、制御部３０による制御に基づいて、実空間を撮像する撮像手段として機能する。
【００３９】
データ格納部３６は、制御部３０による制御に基づいて、撮像部３５により撮像した写真等の画像等の各種データを格納する。
【００４０】
表示部３４は、制御部３０による制御に基づいて、データ格納部３６に格納された画像や操作画面を表示する。
【００４１】
受付部３２は、データ格納部３６に格納された複数の画像の中から、クラウドサーバ１２に送信する画像の選択を受け付ける。
【００４２】
判定部３８は、画像の鮮明度を判定する。ここで、鮮明度とは、画像の鮮明さの度合いを示す。
【００４３】
通知部３１は、受付部３２により、選択が受け付けられた画像に類似する画像のうち、選択が受け付けられた画像の鮮明度よりも高い鮮明度の画像がデータ格納部３６に格納されている場合、その旨を通知する。
【００４４】
ここで、選択が受け付けられた画像に類似する画像は、位置情報、撮影時間等のＥｘｉｆ（Ｅｘｃｈａｎｇｅａｂｌｅ  ｉｍａｇｅ  ｆｉｌｅ）情報や、ヒストグラム比較、特徴点マッチング等の画像情報等に基づいて抽出される。
【００４５】
制御部３０は、選択が受け付けられた画像の代わりにクラウドサーバ１２に送る画像の候補である候補画像として、選択が受け付けられた画像に類似する画像のうち、選択が受け付けられた画像の鮮明度よりも高い鮮明度の画像を表示部３４に表示するよう制御する。制御部３０は、候補画像を鮮明度が高い順に表示するように制御する。
【００４６】
通知部３１は、画像を送信するクラウドサーバ１２に格納されている画像中に、選択が受け付けられた画像の鮮明度よりも高い鮮明度の画像が存在する場合、その旨を通知する。
【００４７】
また、通知部３１は、画像を送信するクラウドサーバ１２に格納されている画像中に、選択が受け付けられた画像の鮮明度よりも低い鮮明度の画像が存在する場合、その旨を通知する。
【００４８】
指示部３７は、クラウドサーバ１２に送信された画像が、送信された画像に類似し、かつ送信された画像よりも鮮明度の低い画像がクラウドサーバ１２に格納されている場合に、その鮮明度の低い画像を削除するように指示する。
【００４９】
また、制御部３０は、選択が受け付けられた画像を予め定められた複数の領域に分割する。
【００５０】
そして、判定部３８は、選択が受け付けられた画像の分割された領域ごとに鮮明度を判定する。特に、判定部３８は、選択が受け付けられた画像の分割された領域に文字が含まれている場合に、文字が含まれている領域の鮮明度を判定する。このように文字の含まれる領域について鮮明度を比較することにより、ＯＣＲ（Ｏｐｔｉｃａｌ  Ｃｈａｒａｃｔｅｒ  Ｒｅａｄｉｎｇ）処理である文字認識処理を実行する際に、誤認識を防止することができる。
【００５１】
また、制御部３０は、選択が受け付けられた画像よりも鮮明度が高い領域に対応する、選択が受け付けられた画像に類似する画像のうち、選択が受け付けられた画像の鮮明度よりも高い鮮明度の画像の領域を、マスク表示する等、他の領域とは異なる表示方法で表示するように制御する。
【００５２】
また、制御部３０は、選択が受け付けられた画像の分割された領域のうち、鮮明度が低い領域をマスク表示するよう制御する。また、制御部３０は、選択が受け付けられた画像の分割された領域のうち、鮮明度が低い領域を部分表示するよう制御する。このとき、鮮明度が低い領域の画像に対する座標を記憶するように制御する。
【００５３】
通知部３１は、選択が受け付けられた画像の予め定められた領域が、選択が受け付けられた画像に類似する画像の予め定められた領域よりも鮮明度が低い場合に、その旨を通知する。
【００５４】
次に、クラウドサーバ１２へ画像を送信する前の端末装置１０の動作の一例を図４〜図９を参照して説明する。
【００５５】
先ず、図４に示すように端末装置１０の操作画面のアップロードボタン４１がタッチされると、図５に示すように、データ格納部３６に格納されている複数の画像が表示される。
【００５６】
そして、クラウドサーバ１２にアップロードする画像が選択されて、アップロードボタン４２がタッチされると、選択が受け付けられた画像の類似画像が検索される。
【００５７】
次に、端末装置１０の選択が受け付けられた画像の類似画像の検索動作について、図６を参照して説明する。
【００５８】
ステップＳ１０として、選択が受け付けられた画像の類似画像が、データ格納部３６に格納されているか検索される。類似画像は、位置情報、撮影時間等のＥｘｉｆ情報や、ヒストグラム比較、特徴点マッチング等の画像情報等に基づいて検索される。
【００５９】
そして、ステップＳ１１において、類似画像がある場合には、ステップＳ１２において、検索された類似画像の中に、選択が受け付けられた画像よりも鮮明度の高い画像があるかが判定される。
【００６０】
そして、選択が受け付けられた画像よりも鮮明度の高い画像がデータ格納部３６に格納されている場合には、ステップＳ１３において、図７に示すように、端末装置１０の表示画面上に、より鮮明な画像がある旨が表示され、選択が受け付けられた画像の代わりにクラウドサーバ１２に送る画像の候補である候補画像を表示するか否かを確認する確認画面が表示される。
【００６１】
そして、ＯＫボタンがタッチされて、候補画像を表示する選択がされた場合には、ステップＳ１４において、図８に示すように、端末装置１０の操作画面上に、選択が受け付けられた画像と、選択が受け付けられた画像に類似する画像のうち、選択が受け付けられた画像の鮮明度よりも高い鮮明度の画像である候補画像が、鮮明度の高い順に左から右に表示される。
【００６２】
ここで、選択が受け付けられた画像と、候補画像とが操作画面の下方にサムネイル画像として表示される。また、サムネイル画像の中でチェック入力されている画像が現在選択されている画像であって、プレビュー画像としてサムネイル画像よりも大きく表示される。そして、サムネイル画像の選択を切り替えることにより、選択されたサムネイル画像を、プレビュー画像として表示させることができる。ここで、サムネイル画像とは、画像を縮小させて簡易的に表示させている画像である。
【００６３】
そして、ステップＳ１５において、ユーザにより差替画像が選択され、図８に示すように、確定・置換ボタン４３がタッチされると、ステップＳ１６において、アップロードされる画像が差替えられる。なお、画像が差替えられた後に、アップロードされる画像に対して、シャープネス、傾き補正、高度補正等の高画質化処理が行われるようにしてもよい。
【００６４】
そして、ステップＳ１７において、差替えられた画像がクラウドサーバ１２へアップロードされる。
【００６５】
また、ステップＳ１１において類似画像がない場合、Ｓ１２において鮮明度の高い画像がない場合、Ｓ１３において鮮明度の高い画像を表示しない選択がされた場合、ステップＳ１５において差替画像が選択されなかった場合には、図５において選択が受け付けられた画像がそのままクラウドサーバ１２へアップロードされる。
【００６６】
つまり、図９に示すように、画像のアップロードが開始される。
【００６７】
次に、クラウドサーバ１２へ画像をアップロードした後の端末装置１０の動作の一例を図１０〜図１３を参照して説明する。
【００６８】
先ず、端末装置１０のアップロードされた画像の類似画像の検索動作について、図１０を参照して説明する。
【００６９】
ステップＳ２０として、アップロードされた画像の類似画像が検索される。つまり、アップロードされた画像の類似画像が、クラウドサーバ１２に格納されているか検索される。類似画像は、位置情報、撮影時間、ユーザ情報、端末装置の向き等のＥｘｉｆ情報や、ヒストグラム比較、特徴点マッチング等の画像情報等に基づいて検索される。
【００７０】
そして、ステップＳ２１において、類似画像がクラウドサーバ１２に格納されている場合には、ステップＳ２２において、検索された類似画像の中に、アップロードされた画像よりも鮮明度の低い画像があるかが判定される。
【００７１】
そして、アップロードされた画像よりも鮮明度の低い画像がクラウドサーバ１２に格納されている場合には、ステップＳ２３において、図１１に示すように、端末装置１０の表示画面上に、アップロードされた画像に類似し、アップロードされた画像より鮮明度の低い画像を削除するか否かを確認する確認画面が表示される。
【００７２】
そして、図１１においてＯＫボタンがタッチされ、アップロートされた画像に類似し、アップロードされた画像より鮮明度の低い画像を削除する選択がなされた場合には、ステップＳ２４として、図１２に示すように、端末装置１０の操作画面上に、アップロードされた画像と、アップロードされた画像に類似する画像のうち、アップロードされた画像よりも鮮明度の低い画像である候補画像が、鮮明度の低い順に左から右に表示される。ここで、アップロードされた画像と、候補画像が、操作画面の下方にサムネイル画像として表示される。
【００７３】
そして、ステップＳ２５において、ユーザにより削除する画像が選択され、図１２に示す確定・削除ボタン４５がタッチされると、ステップＳ２６において、選択された画像が削除され、図１３に示すように、端末装置１０の操作画面上にクラウドサーバ１２上から選択された画像の削除が完了した旨が表示される。
【００７４】
なお、画像をクラウドサーバ１２上から削除した端末装置と、画像をクラウドサーバ１２上にアップロードした端末装置が異なる場合には、クラウドサーバ１２上から画像を削除する前に、削除する画像をアップロードした端末装置に削除してもよいか否かの問い合わせがなされる。また、クラウドサーバ１２上から画像を削除した後に、削除した画像をアップロードした端末装置に削除した旨が通知されるようにしてもよい。
【００７５】
このため、クラウドサーバ１２の格納領域を少なくすることができる。また、クラウドサーバ１２に格納されている画像を探しやすくすることができる。
【００７６】
また、ステップＳ２１において類似画像がない場合、Ｓ２２において鮮明度の低い画像がない場合、Ｓ２３において鮮明度の低い画像を削除しない選択がされた場合、ステップＳ２５において削除する画像が選択されなかった場合には、処理が終了される。
【００７７】
次に、他の実施形態に係る端末装置１０の動作の一例を説明する。
【００７８】
本実施形態では、クラウドサーバ１２にアップロードする画像が選択されて、アップロードボタン４２がタッチされると、選択が受け付けられた画像が、予め定められた複数の領域に分割される。そして、選択が受け付けられた画像の類似画像が検索される。具体的には、例えば図１４に示すように、アップロードする選択が受け付けられた画像が、８つの領域に分割される。
【００７９】
そして、分割された各領域の鮮明度が、他の類似画像の分割された各領域に対応する領域とそれぞれ比較され、図１５に示すように、類似画像と比較して鮮明度の低い領域がマスク表示される。
【００８０】
また、鮮明度の低い領域のうち、ひらがな、カタカナ、漢字、数字、ローマ字等の文字の含まれている領域がマスク表示されるようにしてもよい。そして、文字が含まれている領域に対応する部分を対応付けて、類似画像の候補が表示される。文字が含まれる領域について鮮明度を比較することにより、ＯＣＲ処理である文字認識処理を実行する際に、誤認識を防止することができる。
【００８１】
そして、図１６に示すように、端末装置１０の操作画面上に、選択が受け付けられた鮮明度の低い領域を含む画像と、選択が受け付けられた画像に類似する画像のうち、選択が受け付けられた画像の鮮明度の低い領域に対応する領域の鮮明度が高い候補画像が、鮮明度の高い順に左から右に表示される。このとき、鮮明度の低い領域に対応する部分を対応づけて、類似画像の候補が表示される。
【００８２】
そして、ユーザによって、マスクされている領域がタッチされると、図１７に示すように、選択された領域の拡大画像が表示される。つまり、選択が受け付けられた画像が部分表示される。そして、選択が受け付けられた画像の領域に対応する、選択が受け付けられた画像の鮮明度の低い領域に対応する領域の鮮明度の高い候補画像が、鮮明度の高い順に左から右に部分表示される。つまり、文字を含む領域に対応する部分を対応付けて、類似画像の候補が表示される。
【００８３】
そして、差替画像が選択され、図１７に示す確定・置換ボタン４３がタッチされると、アップロードされる画像の選択された領域が置換される。
【００８４】
そして、鮮明度の低い領域が置換された選択が受け付けられた画像がクラウドサーバ１２へアップロードされる。
【００８５】
[変形例]
上記実施形態では、情報処理装置としてスマートフォン等の端末装置に対して本発明を適用した場合を用いて説明したが、本発明はこれに限定されるものではなく、タブレット端末装置、パーソナルコンピュータ等の他の情報処理装置に対しても同様に本発明を適用することができるものである。
【００８６】
また、上記実施形態では、アップロードする選択が受け付けられた画像よりも鮮明度の高い画像がデータ格納部３６に格納されていない場合に、選択が受け付けられた画像をそのままクラウドサーバ１２へアップロードする例について説明したが、本発明はこれに限定されるものではなく、アップロードしようとする画像の鮮明度が予め定められた閾値以下である場合には、図１８に示すように、選択が受け付けられた端末装置１０にアップロードする画像の画質が悪い可能性がある旨を通知し、他のユーザに類似する画像をクラウドサーバ１２へ格納してもらうか否かの確認画面を表示するようにしてもよい。
【００８７】
そして、図１８において、ＯＫボタンがタッチされた場合に、例えば図１９に示すようなアップロードされた画像と類似する画像を所有する可能性のあるユーザの端末装置にアップロード先のＵＲＬと、アップロードされた画像が添付されたメールを送信するようにしてもよい。このアップロードされた画像と類似する画像を所有する可能性のあるユーザは、スケジュールアプリの連携やＧＰＳアプリの連携等のアップロード対象の画像の撮影時の位置情報等により検出される。
【００８８】
以上、本発明の実施形態について具体的に説明した。しかしながら、本発明は上述の実施形態に限定されるものではなく、その要旨を逸脱しない範囲で種々変更可能である。
【符号の説明】
【００８９】
１      インターネット
１０    端末装置
１１    無線ＬＡＮターミナル
１２    クラウドサーバ
３０    制御部
３１    通知部
３２    受付部
３３    データ送受信部
３４    表示部
３５    撮像部
３６    データ格納部
３７    指示部
【図１】
2020170242.tif 000003
【図２】
2020170242.tif 000004
【図３】
2020170242.tif 000005
【図４】
2020170242.tif 000006
【図５】
2020170242.tif 000007
【図６】
2020170242.tif 000008
【図７】
2020170242.tif 000009
【図８】
2020170242.tif 000010
【図９】
2020170242.tif 000011
【図１０】
2020170242.tif 000012
【図１１】
2020170242.tif 000013
【図１２】
2020170242.tif 000014
【図１３】
2020170242.tif 000015
【図１４】
2020170242.tif 000016
【図１５】
2020170242.tif 000017
【図１６】
2020170242.tif 000018
【図１７】
2020170242.tif 000019
【図１８】
2020170242.tif 000020
【図１９】
2020170242.tif 000021